(57)【特許請求の範囲】
【請求項１】
消火薬剤タンクおよび巻回させたノズル付きホースならびに消火薬剤の加圧押し出し用ガスボンベを収納するようにしたところの、平面が長方形をなし、しかもその幅の狭い側の側面に開閉自在の扉を有するとともに、奥部に消火薬剤タンクを設置し、さらに該タンクより扉寄りの位置に巻回させたノズル付きホースを懸架させ、さらに該ノズル付きホースの巻回された中央空間部に消火薬剤の加圧押し出し用ガスボンベを収納設置するようにした箱であって、該箱の天板を取り外し自在とするとともに、さらに該天板の下面には、前記した巻回させたノズル付きホースを懸架するためのホース架けを一体に取り付けてなることを特徴とした消火設備の格納箱。
【請求項２】
取り外し自在の天板下面に一体に取り付けられたホース架けは略Ｌ字状をなし、その自由端を扉方向に向けて略水平に突出させてなるものであるところの請求項１に記載の消火設備の格納箱。
【発明の詳細な説明】
【０００１】
【発明の属する技術分野】
本発明は、例えば駐車場等に設置されるところの、内部に消火薬剤タンクおよび巻回させたノズル付きホースならびに消火薬剤の加圧押し出し用ガスボンベを収納するようにした消火設備格納箱およびその製造方法に関し、設置後における消火薬剤の充填あるいは交換やメンテナンス性を良好にするとともに、消火設備格納箱の生産性を向上させることを目的とする。
【０００２】
【従来の技術】
従来公知のこの種の格納箱としては、実用新案登録第２５１５０５８号のものが知られている。  これは同実用新案登録公報における特に図２〜４にあらわされているように、左右の側面部１２、背面部１６、天板部１８、底板を一体に有することにより平面が長方形をした箱を構成するとともに、その幅の狭い側の側面（正面）に開閉自在の扉１３を設け、しかも箱内の奥部に消火薬剤タンク２０を設置するとともに、該タンク２０より扉１３寄りの位置にノズル３０付きホース２８を巻回保持せしめ、さらに該ノズル付きホース２８の巻回された中央空間部に消火薬剤の加圧押し出し用炭酸ガスボンベ２２を収納設置するように構成したものである。
【０００３】
【発明が解決しようとする課題】
しかしながら、上記した従来のものにあっては、箱内にノズル３０付きホース２８を巻回保持させるためのホース掛け２７を形成するために、ホース掛け２７の一端を箱の背面部１６に溶接やネジ止めにより固定する必要があり、溶接により固定する場合においては、幅の狭い奥方の背面部１６に達する特殊な形状の溶接電極を特別に製作する必要があり、しかも金属製の大きな箱をスポット溶接機の溶接用加圧電極チップ間に位置合わせして保持するために、１人では重労働となり多くは２人がかりで担持する必要があるためにコストの面において著しく不利であること、また溶接後に塗装を施す必要があり、箱の材料としてカラー金属板の使用に適さないこと等の難点がある。  さらにネジ止めにより固定する場合においても、幅の狭い箱の奥方での作業となるために、同じく作業性の面において問題があった。
【０００４】
また箱内に収納されているタンク２０内の消火薬剤が使い果たされた場合には、正面の扉１３を開き、ホース２８を取り出した後に炭酸ガスボンベと共に、タンク２０を取り出し、あるいは天板部１８の一部に形成された蓋板１９を外してタンク２０の充填蓋２１を開け、そこから消火薬剤を充填することになるが、いずれにしてもホース掛け２７が邪魔になり、消火薬剤の充填作業が容易ではない。
【０００５】
【課題を解決するための手段】
そこで本発明にあっては、上記した従来技術における種々の課題を解決し、箱内奥方の背面部に対するホース掛けの溶接やネジ止め固定等面倒で、しかも非効率的な作業を不要とし、しかもタンク内への消火薬剤再充填作業を容易に実施できるようにしたものであって、具体的には消火薬剤タンクおよび巻回させたノズル付きホースならびに消火薬剤の加圧押し出し用ガスボンベを収納するようにしたところの、平面が長方形をなし、しかもその幅の狭い側の側面に開閉自在の扉を有するとともに、奥部に消火薬剤タンクを設置し、さらに該タンクより扉寄りの位置に巻回させたノズル付きホースを懸架させ、さらに該ノズル付きホースの巻回された中央空間部に消火薬剤の加圧押し出し用ガスボンベを収納設置するようにした箱であって、該箱の天板を取り外し自在とするとともに、さらに該天板の下面には、前記した巻回させたノズル付きホースを懸架するためのホース架けを一体に取り付けてなることを特徴とした消火設備の格納箱に関する。
【０００９】
上記した構成の消火設備格納箱を設置後、火災発生に際して、まず扉を開いてホース架けに架けられているノズル付きホースを引き出し、加圧押し出し用のガスボンベを開いて消火薬剤タンク内に内圧をかけて充填されている消火薬剤を押し出し、これを前記したホースを介して先端のノズルから消火対象域に向けて放射する。  消火薬剤の放射終了後、再度消火薬剤タンク内に消火薬剤を充填する場合には、箱の天板を取り外し、箱の上面から消火薬剤タンクの開口栓を取り外して消火薬剤を充填する。  このときホース架けは天板と共に取り外されているために作業の障害にならない。
【００１０】
消火薬剤充填後、再度天板をホース架けを下側にして装着し、箱の正面側扉を開けた状態においてノズル付きホースを巻回状態にてホース架けに架け渡すとともに、加圧押し出し用のガスボンベを新しいものに交換して再度の消火作業時に備える。  また箱の製造時においては、あらかじめホース架けを一体に取り付けた天板を、箱の天面にホース架けを取り付けた面を下側にして取り付けるだけで、巻回させたノズル付きホースを懸架するためのホース架けを有する消火設備格納箱を簡単に生産することができる。
【００１１】
【発明の実施の形態】
以下において本発明の具体的な内容を図１〜２の実施例をもとに説明すると、３１は消火薬剤タンク３９および巻回させたノズル付きホース４０ならびに消火薬剤の加圧押し出し用ガスボンベ４１を収納するための消火設備格納箱を構成する素体である箱をあらわしている。  さらに箱３１は、この実施例においては駐車場に設置するために平面（天板３７の平面）が長方形をなし、しかもその幅の狭い側の側面を正面とし、この正面に開閉自在の扉（３５ａ）を有する形態となしている。  すなわちこの箱３１は背面板３２と、該背面板３２より幅の大きい左右の側面板３３・３４と、開閉自在の扉３５ａが取り付けられる正面部３５、および底面部３６ならびに天板３７とから構成される。
【００１２】
さらに箱３１の天板３７は箱の天面よりいくぶん大きめで、しかもその周縁部には下方に折り曲げたリブ３７ａが形成されており、このリブ３７ａを箱３１の背面板３２および左右の側面板３３・３４および正面部３５のそれぞれの上端縁部外側に被せて天面開口部を覆うように取り付けられ、また必要に応じて上記リブ３７ａを箱３１の上端縁部にネジ止めすることができる。  さらに天板３７の下面には全体が略Ｌ字状をなし、その自由端を扉３５ａ方向に向けて略水平に突出させるようにしたホース架け３８が取り付けられる。  天板３７に対するホース架け３８の取り付けは、その基部３８ａを天板３７の下面に溶接してもよく、またネジ止めして固定するようにしてもよい。
【００１３】
このホース架け３８はあらかじめ天板３７の下面に取り付けられ、これを前記した箱３１の天面に取り付けることにより箱３１の全体を完成する。  なおこの場合において天板３７を箱の天面に対して一体に溶接してもよいが、好ましくは箱３１の天面に被嵌させ、あるいはその周面に形成したリブ３７ａをもって箱３１の上端縁部にネジ止めするなどして着脱自在に構成すると、消火薬剤タンク内への消火薬剤の再充填作業等が容易になる。
【００１５】
上記した実施例の構成において、あらかじめホース架け３８を一体に取り付けた天板３７を、ホース架け３８を取り付けた面を下側にし、しかも該ホース架け３８の自由端が正面部３５の扉３５ａ方向に向くようにして箱３１の天面に取り付ける。  完成した箱３１に対し、扉３５ａを開いて背面板３２寄りの最奥部に消火薬剤タンク３９を設置するとともに、ホース架け３８に円形に巻回させたノズル付きホース４０を架け渡し、つぎに巻回させたノズル付きホース４０の中央部に加圧押し出し用のガスボンベ４１を装着して最後に扉３５ａを閉めて待機状態とする。
【００１６】
さらに火災発生時においては、まず扉３５ａを開いてホース架け３８に架けられているノズル付きホース４０を引き出し、加圧押し出し用のガスボンベ４１を開いて消火薬剤タンク３９内に内圧をかけて充填されている消火薬剤を押し出し、これを前記したホース４０を介して先端のノズル（図示省略）から消火対象域に向けて放射する。  消火薬剤の放射終了後、再度消火薬剤タンク３９内に消火薬剤を充填する場合には、箱３１の天板３７を取り外し、箱３１の上面を開口させた部分から消火薬剤タンクの開口栓３９ａを取り外して、そこから消火薬剤タンク３９内に消火薬剤を充填する。
【００１７】
このときホース架け３８は天板３７と共に取り外されているために作業の障害にならない。  消火薬剤充填後、再度天板３７をホース架け３８を下側にし、しかも該ホース架け３８の自由端を箱の正面側の扉３５ａ方向に向けて装着し、箱３１の正面側扉３５ａを開けた状態においてノズル付きホース４０を巻回状態にてホース架け３８に架け渡すとともに、加圧押し出し用のガスボンベ４１を新しいものに交換して再度の消火作業時に備える。
【００１８】
【発明の効果】
本発明は上記した通り、消火薬剤タンクおよび巻回させたノズル付きホースならびに消火薬剤の加圧押し出し用ガスボンベを収納するようにしたところの、平面が長方形をなし、しかもその幅の狭い側の側面に開閉自在の扉を有するとともに、奥部に消火薬剤タンクを設置し、さらに該タンクより扉寄りの位置に巻回させたノズル付きホースを懸架させ、さらに該ノズル付きホースの巻回された中央空間部に消火薬剤の加圧押し出し用ガスボンベを収納設置するようにした箱であって、該箱の天板を取り外し自在とするとともに、さらに該天板の下面には、前記した巻回させたノズル付きホースを懸架するためのホース架けを一体に取り付けてなるものであるために、消火設備収納箱を製造するに際し、ホース架けをいちいち背面板に溶接し、あるいはネジ止めする等の面倒でしかも困難な作業を必要とせず、また溶接の必要がないので箱の素材としてあらかじめ塗装を施したカラー鉄板の使用も可能であり、そのために箱の完成後に別途塗装を施す等の手間も不要となり、コストの低減をはかることができる。
【００１９】
また消火薬剤タンク内に再度消火薬剤を充填するに際しても、天板を取り外すだけでタンク内に容易に消火薬剤の再充填をおこなうことができ、しかもその際にホース架けが障害となることがないために著しく機能性に優れる。
【図面の簡単な説明】
【図１】本発明の一実施例である消火設備格納箱の天板を取り外した状態をあらわす要部斜視図。
【図２】図１における消火設備格納箱の縦断面図。
【符号の説明】
３１        箱
３２        背面板
３３        側面板
３４        側面板
３５        正面部
３５ａ      扉
３６        底面部
３７        天板
３７ａ      リブ
３８        ホース架け
３８ａ      基部
３９        消火薬剤タンク
３９ａ      開口栓
４０        ノズル付きホース
４１        加圧押し出し用ガスボンベ
【図１】
0003887734.tif 000002
【図２】
0003887734.tif 000003